(57)【特許請求の範囲】
【請求項１】
テレビレンズの移動可能な撮影レンズの位置を表示するテレビレンズのレンズ位置表示装置において、
前記撮影レンズの位置を検出する位置検出手段と、
前記テレビレンズのケーシングに一列に設置された発光体の点灯位置によって前記撮影レンズの位置を表示するレンズ位置表示手段と、
前記レンズ位置表示手段の一列に設置された発光体の両端部に設けられ、前記発光体の設置範囲を表示する範囲表示手段と、
前記位置検出手段によって検出した前記撮影レンズの位置に基づいて前記レンズ位置表示手段の発光体の点灯位置を制御する制御手段と、
から成ることを特徴とするテレビレンズのレンズ位置表示装置。
【請求項２】
前記範囲表示手段は、前記レンズ位置表示手段の一列に設置された発光体の両端部に設けられた発光体の点灯によって前記レンズ位置表示手段の発光体の設置範囲を表示することを特徴とする請求項１のテレビレンズのレンズ位置表示装置。
【請求項３】
前記レンズ位置表示手段及び前記範囲表示手段が前記テレビレンズのケーシングの両側面に設けられたことを特徴とする請求項１のテレビレンズのレンズ位置表示装置。
【請求項４】
前記撮影レンズは、ズームレンズ又はフォーカスレンズであることを特徴とする請求項１のテレビレンズのレンズ位置表示装置。
【発明の詳細な説明】
【０００１】
【発明の属する技術分野】
本発明はテレビレンズのレンズ位置表示装置に係り、特にズーム位置やフォーカス位置をテレビレンズ側面に表示するテレビレンズのレンズ位置表示装置に関する。
【０００２】
【従来の技術】
従来、テレビレンズの側面にズーム位置やフォーカス位置を表示するインジケータが設置されているものが知られている。例えば、複数のＬＥＤが一列に配置され、そのＬＥＤの点灯位置がズーム位置やフォーカス位置の変化に応じて切り替わるようになっている。
【０００３】
このようなインジケータは、例えば、スタジオ撮影などで複数のカメラマンがそれぞれ別のテレビカメラを操作する場合に、他のカメラマンがどのような映像を撮影しているのか把握する場合等に有効に利用されている。
【０００４】
【発明が解決しようとする課題】
しかしながら、上述のようなインジケータを近くから見る場合には、そのインジケータの各ＬＥＤに近接して表記された数値（ズーム倍率等）や、ＬＥＤの設置範囲に対して点灯しているＬＥＤの位置を把握することによってズーム位置やフォーカス位置を知ることができるが、インジケータを遠くの場所から見る場合や暗い状況の中で見る場合には、その数値や、ＬＥＤの設置範囲を知ることができないため、点灯しているＬＥＤがどのようなズーム位置、フォーカス位置を示しているのか把握することが困難であった。
【０００５】
本発明はこのような事情に鑑みてなされたもので、テレビレンズのズーム位置やフォーカス位置を遠い場所からや暗い状況の中でも容易に知ることができるテレビレンズのレンズ位置表示装置を提供することを目的とする。
【０００６】
【課題を解決するための手段】
本発明は前記目的を達成するために、請求項１に記載の発明は、テレビレンズの移動可能な撮影レンズの位置を表示するテレビレンズのレンズ位置表示装置において、前記撮影レンズの位置を検出する位置検出手段と、前記テレビレンズのケーシングに一列に設置された発光体の点灯位置によって前記撮影レンズの位置を表示するレンズ位置表示手段と、前記レンズ位置表示手段の一列に設置された発光体の両端部に設けられ、前記発光体の設置範囲を表示する範囲表示手段と、前記位置検出手段によって検出した前記撮影レンズの位置に基づいて前記レンズ位置表示手段の発光体の点灯位置を制御する制御手段と、から成ることを特徴としている。
【０００７】
また、請求項２に記載の発明は、請求項１に記載の範囲表示手段は、前記レンズ位置表示手段の一列に設置された発光体の両端部に設けられた発光体の点灯によって前記レンズ位置表示手段の発光体の設置範囲を表示することを特徴としている。
また、請求項３に記載の発明は、請求項１に記載のレンズ位置表示手段及び前記範囲表示手段が前記テレビレンズのケーシングの両側面に設けられたことを特徴としている。
【０００８】
また、請求項４に記載の発明は、請求項１に記載の撮影レンズは、ズームレンズ又はフォーカスレンズであることを特徴としている。
本発明によれば、テレビレンズの側面等に一列に設置された発光体の点灯位置によって撮影レンズの位置を表示する場合に、その発光体の両端部に該発光体の設置範囲を示す表示手段を設け、両端部の位置を明確にしたため、一列に設置された発光体に対してどの位置の発光体が点灯しているかを一目で把握することができ、遠い場所からや暗い状況の中でもテレビレンズの所要の撮影レンズの現在の位置を容易且つ即座に認識することができるようになる。
【０００９】
【発明の実施の形態】
以下添付図面に従って本発明に係るテレビレンズのレンズ位置表示装置の好ましい実施の形態について詳説する。
図１はテレビカメラの側面図である。同図に示すようにテレビカメラ１０は、テレビレンズ（ＥＦＰレンズ）１２とカメラ１４とから構成され、テレビレンズ１２の後面とカメラ１４の前面とが装着されるようになっている。また、テレビカメラ１０は雲台２０上に固定される。
【００１０】
雲台２０には、左右対称に２本のパン・チルト棒２２が延設され（一方のパン・チルト棒は図示せず）、各パン・チルト棒２２のグリップ部２４には、テレビレンズ１２のズームレンズの位置（ズーム位置）を操作するズームデマンドや、テレビレンズ１２のフォーカスレンズの位置（フォーカス位置）を操作するフォーカスデマンド等のレンズコントローラ２６が取り付けられるようになっている。そして、レンズコントローラ２６の操作は指令信号としてケーブル２８を介してテレビレンズ１２に送信される。
【００１１】
前記テレビレンズ１２の側面には、インジケータ（レンズ位置表示装置）３０が設けられる。このインジケータ３０は、複数のＬＥＤ（発光ダイオード）を同列に配置したもので、‘Ｔ’の文字で表記されたインジケータ３０の左端をテレ端、‘Ｗ’の文字で表記された右端をワイド端として、テレビレンズ１２のズームレンズの位置（ズーム位置）に対応する位置のＬＥＤのみが点灯するようになっている。これにより、このインジケータ３０によってズーム位置を把握することができ、他のテレビカメラを操作しているカメラマン等がこのテレビカメラ１０を操作しているカメラマンがどのような映像を撮影しているかを把握することができるようになっている。尚、インジケータ３０の構成についての詳細は後述する。
【００１２】
図２は、上記テレビレンズ１２の内部構成図である。同図に示すようにテレビレンズ１０には、フォーカスレンズ５０、変倍系レンズ５２Ａと補正系レンズ５２Ｂとからなるズームレンズ５２、絞り５４及びマスターレンズ５６等の光学部材と、各レンズ５０、５２や絞り５４をそれぞれ駆動するための駆動回路６０〜６４及び駆動モータ７０〜７４と、各レンズ５０、５２や絞り１０４の位置を検出するポテンショメータ８０〜８４及びＡ／Ｄ変換器９０〜９４と、各光学部材を制御する制御回路１００とが設けられている。
【００１３】
尚、周知のように、ズームレンズ５２を構成する変倍系レンズ５２Ａは、焦点距離を変化させ、補正系レンズ５２Ｂは焦点位置が変動しないように補正するもので、変倍系レンズ５２Ａ及び補正系レンズ５２Ｂはそれぞれズームカム筒を回転させることによって光軸上を一定の関係をもって移動できるように構成されている。また、符号１１０は撮像素子（ＣＣＤ）であり、撮像素子１１０はテレビレンズ１２が取り付けられるカメラ１４側に設けられている。
【００１４】
また、同図に示すように上記制御回路１００には、フォーカスデマンドやズームデマンド等の上記レンズコントローラ２６や、図示しない絞りツマミ等の操作手段から指令信号が加えられるようになっている。制御回路１００は、これらのレンズコントローラ２６や操作手段から入力される指令信号と、ポテンショメータ８０〜８４からＡ／Ｄ変換器９０〜９４を介して入力されるフォーカスレンズ５０、ズームレンズ５２及び絞り５４の位置に基づいて、駆動回路６０〜６４に制御信号を出力し、モータ７０〜７４を駆動してフォーカスレンズ５０、ズームレンズ５２及び絞り５４の制御を行っている。
【００１５】
また、制御回路１００は、フォーカスレンズ５０、ズームレンズ５２及び絞り５４の制御と同時に、ポテンショメータ８２からＡ／Ｄ変換器９２を介して入力されるズームレンズ５２の位置（ズーム位置）に基づいて上記図１に示したインジケータ３０の表示を制御するようにしている。
次に、上記制御回路１００によって制御されるインジケータ３０の構成及び作用について詳説する。図３は、テレビレンズ１２の側面図である。同図に示すようにテレビレンズ１２の前方（同図左側）はフード１２２で覆われ、テレビレンズ１２の後面（同図右側）はカメラ１４に連結されるようになっている。テレビレンズ１２の本体は略直方形状のカバー１２０で覆われ、カバー１２０は左右側面に設けられた固定ネジ１２４によってテレビレンズ１２の本体と着脱自在に固定されている。
【００１６】
カバー１２０の側面上部中央には、レンズを持ち運ぶ為の把手となる凹部１２６が形成され、該凹部１２６の前方にはタリーランプ窓１２８が形成されている。
上記インジケータ３０は、同図に示すようにテレビレンズ１２のカバー１２０の側面下部に設置される。インジケータ３０は、水平方向に１列に配設された複数のＬＥＤ３０Ａ、３０Ａ、…と、インジケータ３０の両端の位置に設置された２つのＬＥＤ３０Ｂ、３０Ｂとから構成される。ＬＥＤ３０Ａ、３０Ａ、…は例えば赤色に点灯する発光体であり、これらのＬＥＤ３０Ａ、３０Ａ、…は、上記制御回路１００の制御によってズーム位置に対応するＬＥＤのみが点灯するようになっている。尚、上記制御回路１００は、ズーム位置に応じて、そのズーム位置がテレ側である程、カバー１２０に表記された‘Ｔ’の文字側（同図左側）のＬＥＤ３０Ａを点灯させ、ズーム位置がワイド側である程、カバー１２０に表記された‘Ｗ’の文字側（同図右側）のＬＥＤ３０Ａを点灯させるようにしている。
【００１７】
一方、インジケータ３０の両端に配設されたＬＥＤ３０Ｂ、３０Ｂは、上記ＬＥＤ３０Ａの赤色とは異なる例えば緑色に点灯する発光体であり、これらのＬＥＤ３０Ｂ、３０Ｂはインジケータ３０の表示がオン（電源がオン）の場合には常時点灯するようになっている。即ち、ＬＥＤ３０Ｂ、３０Ｂは、ズーム位置を示す上記ＬＥＤ３０Ａ、３０Ａ、…の設置範囲（点灯位置の移動範囲）を示すもので、これらのＬＥＤ３０Ｂ、３０Ｂが点灯してＬＥＤ３０Ａ、３０Ａ、…の設置範囲を示すことによって、ＬＥＤ３０Ａ、３０Ａ、…のうちどの位置のＬＥＤ３０Ａが点灯しているのかが容易且つ即座に把握できるようになっている。特に、インジケータ３０を離れた位置から見る場合や、暗い状況の中で見る場合に、消灯されているＬＥＤ３０Ａ、３０Ａ、…が視認できないときでも、両端のＬＥＤ３０Ｂ、３０Ｂの点灯位置によってＬＥＤ３０Ａ、３０Ａ、…の設置範囲を知ることができる。そして、この設置範囲を知ることによって、点灯しているＬＥＤ３０Ａの位置を把握することができ、その点灯位置によってズーム位置を容易且つ即座に認識することができる。
【００１８】
図４（Ａ）乃至（Ｃ）は、インジケータ３０の点灯表示例を示した図である。同図（Ａ）に示すように、インジケータ３０の両端のＬＥＤ３０Ｂ、３０Ｂが緑色に点灯し、ズーム位置を示すＬＥＤ３０Ａ、３０Ａ、…の設置範囲（点灯位置の移動範囲）が示される。そして、制御回路１００の制御によってズーム位置に対応する位置ＰのＬＥＤ３０Ａが赤色に点灯する。次いで、レンズコントローラ２６が操作されてズーム位置がワイド側に移動すると、ＬＥＤ３０Ａの点灯位置Ｐは、制御回路１００の制御によって同図（Ａ）に示す点灯位置から‘Ｗ’の文字側（右側）に移動し、ズーム位置がワイド端に到達すると、同図（Ｂ）に示すようにＬＥＤ３０Ａ、３０Ａ、…のうち右端のＬＥＤ３０Ａが点灯する。
【００１９】
逆に、レンズコントローラ２６が操作されてズーム位置がテレ側に移動すると、ＬＥＤ３０Ａの点灯位置Ｐは、制御回路１００の制御によって同図（Ａ）に示す点灯位置から‘Ｔ’の文字側（右側）に移動し、ズーム位置がテレ端に到達すると、同図（Ｃ）に示すようにＬＥＤ３０Ａ、３０Ａ、…のうち左端のＬＥＤ３０Ａが点灯する。
【００２０】
以上のように、ズーム位置を表示する１列に配列されたＬＥＤ３０Ａ、３０Ａ、…の両端にその設置範囲を示すＬＥＤ３０Ｂ、３０Ｂを設置し、これらのＬＥＤ３０Ｂ、３０Ｂを常時点灯させておくことにより、インジケータ３０を離れた位置から見る場合や、暗い状況の中で見る場合にでも、どの位置のＬＥＤ３０Ａが点灯しているのかが容易に把握でき、その点灯位置によってズーム位置を容易且つ即座に認識することができるようになる。
【００２１】
以上、上記実施の形態では、インジケータ３０はズームレンズ５２の位置（ズーム位置）を表示するものとして説明したが、これに限らず、上記実施の形態と同様の構成のインジケータでフォーカスレンズ５０の位置（フォーカス位置）や絞り値を表示するようにしてもよい。また、例えば、ズーム位置を表示するインジケータと、フォーカス位置を表示するインジケータとを併設してもよいし、１つのインジケータをズーム位置又はフォーカス位置を表示するものとして切り替えて使用できるようにしてもよい。
【００２２】
また、上記実施の形態では、テレビレンズ１２のカバー１２０の一側面にしかインジケータを示さなかったが、テレビレンズ１２の両側からズーム位置やフォーカス位置を認識できるように上記インジケータ３０をテレビレンズ１２のカバー１２０の両側面に設けるようにしてもよい。また、インジケータ３０の設置場所はカバー１２０の側面に限らず、カバー１２０の上面にインジケータ３０の表示面を側方に向けて設置する等、どの場所に設置してもよい。
【００２３】
また、上記実施の形態では、ＬＥＤ３０Ａ、３０Ａ、…の設置範囲をこれらのＬＥＤ３０Ａ、３０Ａ、…の発光色（赤色）と異なる緑色のＬＥＤ３０Ｂ、３０Ｂによって表示するようにしたが、ＬＥＤ３０ＡとＬＥＤ３０Ｂの発光色はこれ以外でも良く、また、ＬＥＤ３０ＡとＬＥＤ３０Ｂの発光色を同色としてもよい。
【００２４】
また、上記実施の形態では、インジケータ３０の点灯表示をＬＥＤによって行うようにしたが、これに限らず他の発光体（電球等）で行ってもよい。また、ＬＥＤ３０Ａ、３０Ａ、…の設置範囲を示す両端のＬＥＤ３０Ｂ、３０Ｂについては、このような発光体を用いなくても、例えば通常の塗料、蛍光塗料、夜光塗料等の着色によってその位置を目立たせるようにしてもよい。
【００２５】
また、上記実施の形態では、ＬＥＤ３０Ａ、３０Ａ、…の設置範囲を示すＬＥＤ３０Ｂ、３０ＢをＬＥＤ３０Ａ、３０Ａ、…と同列に設置するようにしたが、これに限らず、ＬＥＤ３０Ａ、３０Ａ、…の両端のＬＥＤ３０Ａの上部又は下部等、ＬＥＤ３０Ａ、３０Ａ、…の設置範囲が分かるような位置であればどのような位置に設置してもよい。
【００２６】
また、上記実施の形態のインジケータ３０では、一列に配列されたＬＥＤ３０Ａ、３０Ａ、…の点灯位置によってズーム位置を表示するようにしたが、インジケータの表示形態はこれに限らず、例えば、一列に配列された複数のＬＥＤの一方の基端から現在のズーム位置を示すＬＥＤまでを全て点灯させるような他の表示形態のインジケータについても上記実施の形態と同様にズーム位置を示すＬＥＤの設置範囲を示すＬＥＤを設けることによって上述したような効果が得られる。
【００２７】
【発明の効果】
以上説明したように本発明によれば、テレビレンズの側面等に一列に設置された発光体の点灯位置によって撮影レンズの位置を表示する場合に、その発光体に両端部に該発光体の設置範囲を示す例えば発光体等のような表示手段を設けるようにしたため、一列に設置された発光体に対してどの位置の発光体が点灯しているかを一目で把握することができ、遠い場所からや暗い状況の中でもテレビレンズの所要の撮影レンズの現在の位置を容易且つ即座に認識することができるようになる。
【図面の簡単な説明】
【図１】図１はテレビカメラの側面図である。
【図２】図２は、本発明が適用されたテレビレンズの内部構成図である。
【図３】図３は、本発明が適用されたテレビレンズの側面図である。
【図４】図４（Ａ）乃至（Ｃ）は、インジケータの点灯表示例を示した図である。
【符号の説明】
１０…テレビカメラ
１２…テレビレンズ
１４…カメラ
３０…インジケータ
３０Ａ、３０Ｂ…ＬＥＤ
【図１】
0004032505.tif 000002
【図２】
0004032505.tif 000003
【図３】
0004032505.tif 000004
【図４】
0004032505.tif 000005